【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
患者の医用画像を撮影する撮影装置と、
撮影オーダ情報を管理し、指示に応じて当該撮影オーダ情報を通信ネットワークを介して外部に送信する情報管理装置と、
通信ネットワークを介して前記情報管理装置から撮影オーダ情報を受信して撮影オーダリストを作成し、当該撮影オーダリストのうち、指定された撮影オーダ情報を携帯端末に送信するとともに、当該撮影オーダ情報に携帯端末から送信される撮影結果関連情報を対応付ける複数の制御装置と、
前記複数の制御装置の少なくとも一つと通信ネットワークを介して接続可能であり、当該制御装置から受信された撮影オーダ情報に対応する撮影結果関連情報を制御装置に送信する少なくとも一つの携帯端末と、を備え、
何れか一の制御装置において撮影オーダ情報に撮影結果関連情報が対応付けられたとき、当該撮影オーダ情報を他の制御装置の撮影オーダリストから削除することを特徴とする医用画像撮影システム。
【請求項２】
前記撮影装置は、カセッテを使用して放射線画像を撮影し、
前記撮影結果関連情報は、撮影に使用されたカセッテの識別情報であることを特徴とする請求項１に記載の医用画像撮影システム。
【請求項３】
患者の医用画像を撮影する撮影装置と、
撮影オーダ情報を管理し、指示に応じて当該撮影オーダ情報を通信ネットワークを介して外部に送信する情報管理装置と、
通信ネットワークを介して前記情報管理装置から撮影オーダ情報を受信して撮影オーダリストを作成し、当該撮影オーダリストのうち、指定された撮影オーダ情報を携帯端末に送信するとともに、当該撮影オーダ情報に携帯端末から送信される撮影結果関連情報を対応付ける複数の制御装置と、
前記複数の制御装置の少なくとも一つと通信ネットワークを介して接続可能であり、当該制御装置から受信された撮影オーダ情報を表示する少なくとも一つの携帯端末と、を備え、
何れか一の制御装置において撮影オーダ情報が携帯端末に送信されたとき、当該撮影オーダ情報を他の制御装置の撮影オーダリストから削除することを特徴とする医用画像撮影システム。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
請求項１に記載の発明は、医用画像撮影システムにおいて、
患者の医用画像を撮影する撮影装置と、
撮影オーダ情報を管理し、指示に応じて当該撮影オーダ情報を通信ネットワークを介して外部に送信する情報管理装置と、
通信ネットワークを介して前記情報管理装置から撮影オーダ情報を受信して撮影オーダリストを作成し、当該撮影オーダリストのうち、指定された撮影オーダ情報を携帯端末に送信するとともに、当該撮影オーダ情報に携帯端末から送信される撮影結果関連情報を対応付ける複数の制御装置と、
前記複数の制御装置の少なくとも一つと通信ネットワークを介して接続可能であり、当該制御装置から受信された撮影オーダ情報に対応する撮影結果関連情報を制御装置に送信する少なくとも一つの携帯端末と、を備え、
何れか一の制御装置において撮影オーダ情報に撮影結果関連情報が対応付けられたとき、当該撮影オーダ情報を他の制御装置の撮影オーダリストから削除することを特徴とする。
【手続補正６】
【補正対象書類名】明細書
【補正対象項目名】００１５
【補正方法】変更
【補正の内容】
【００１５】
請求項２に記載の発明は、請求項１に記載の医用画像撮影システムにおいて、
前記撮影装置は、カセッテを使用して放射線画像を撮影し、
前記撮影結果関連情報は、撮影に使用されたカセッテの識別情報であることを特徴とする。
【手続補正７】
【補正対象書類名】明細書
【補正対象項目名】００１６
【補正方法】変更
【補正の内容】
【００１６】
請求項３に記載の発明は、医用画像撮影システムにおいて、
患者の医用画像を撮影する撮影装置と、
撮影オーダ情報を管理し、指示に応じて当該撮影オーダ情報を通信ネットワークを介して外部に送信する情報管理装置と、
通信ネットワークを介して前記情報管理装置から撮影オーダ情報を受信して撮影オーダリストを作成し、当該撮影オーダリストのうち、指定された撮影オーダ情報を携帯端末に送信するとともに、当該撮影オーダ情報に携帯端末から送信される撮影結果関連情報を対応付ける複数の制御装置と、
前記複数の制御装置の少なくとも一つと通信ネットワークを介して接続可能であり、当該制御装置から受信された撮影オーダ情報を表示する少なくとも一つの携帯端末と、を備え、
何れか一の制御装置において撮影オーダ情報が携帯端末に送信されたとき、当該撮影オーダ情報を他の制御装置の撮影オーダリストから削除することを特徴とする。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
請求項１に記載の発明によれば、一の制御装置で撮影結果関連情報が対応付けられた撮影オーダ情報を他の制御装置の撮影オーダリストから削除するので、当該撮影オーダ情報を携帯端末へ送信指定することが不可能となる。従って、撮影オーダ情報が重複して送信されることを防止することができ、回診先における撮影を正確に行うことが可能となる。
【手続補正１２】
【補正対象書類名】明細書
【補正対象項目名】００２１
【補正方法】変更
【補正の内容】
【００２１】
請求項２に記載の発明によれば、撮影結果関連情報としてカセッテの識別情報を適用することができる。
【手続補正１３】
【補正対象書類名】明細書
【補正対象項目名】００２２
【補正方法】変更
【補正の内容】
【００２２】
請求項３に記載の発明によれば、一の制御装置で撮影オーダ情報が携帯端末に送信されると、当該撮影オーダ情報を他の制御装置の撮影オーダリストから削除するので、当該撮影オーダ情報を携帯端末へ送信指定することが不可能となる。従って、撮影オーダ情報が重複して送信されることを防止することができ、回診先における撮影を正確に行うことが可能となる。
【手続補正１４】
【補正対象書類名】明細書
【補正対象項目名】００７１
【補正方法】変更
【補正の内容】
【００７１】
次いで、ステップＳ９９では、送信済みフラグがＯＮに設定された撮影オーダ情報のオーダＩＤが情報管理装置３０に送信され、当該撮影オーダ情報は送信済みであることが通知される。情報管理装置３０では、制御装置４０から送信されたオーダＩＤの撮影オーダ情報は送信済みの撮影オーダ情報であるとして管理される。
【手続補正１５】
【補正対象書類名】明細書
【補正対象項目名】００９４
【補正方法】変更
【補正の内容】
【００９４】
次いで、他の制御装置４０において受信されたオーダＩＤの撮影オーダ情報が撮影オーダ情報ファイル４６１から削除され（ステップＥ４）、本処理を終了する。なお、本実施の形態では、各制御装置４０において撮影オーダ情報ファイル４６２からも当該撮影オーダ情報を削除することとしたが、撮影オーダ情報ファイル４６１からの削除は必須ではなく、メモリ容量が不足している場合等のみに削除することとしてもよい。